(57)【要約】【課題】高圧電線の間接活線工事において、作業者に負担をかけずに任意の方向からアプローチでき、作業者一人で簡単かつ確実にスリーブカバーの取り付け、及び絶縁シートへのクリップの着脱を可能とした、間接活線工事用クリップを提供する。【解決手段】相対向する２つの湾曲した回動片１ａから成り、対象物を把持する把持部１と、当該把持部１をヒンジ部２を介して操作する、二つの脚片３ａ、３ｂから成る操作部３から形成され、バネの力により常時把持部１の回動片１ａの自由端を閉める方向に付勢された略ハサミ形状のクリップであって、当該クリップＡの上記操作部３を上に位置させ、上記把持部１を下に位置させた状態で、上記ヒンジ部２の軸２ａから垂線Ｈを下ろし、当該軸２ａを中心にして上記垂線Ｈの先端から、一方側に３０度〜９０度の範囲内に位置するように、上記操作部３を折り曲げて形成した。【選択図】図１
2015186430.tif 000002
【特許請求の範囲】
【請求項１】
相対向する２つの湾曲した回動片から成り、対象物を把持する把持部と、当該把持部をヒンジ部を介して操作する、二つの脚片から成る操作部から形成され、バネの力により常時把持部の回動片の自由端を閉める方向に付勢された略ハサミ形状のクリップであって、
当該クリップの上記操作部を上に位置させ、上記把持部を下に位置させた状態で、上記ヒンジ部の軸から垂線を下ろし、当該軸を中心にして上記垂線の先端から、一方側に３０度〜９０度の範囲内に位置するように、上記操作部を折り曲げて形成したことを特徴とする、間接活線工事用クリップ。
【請求項２】
上記操作部を成す２つの脚片のヒンジ部の軸を中心にした開口角を略３０度として設けたことを特徴とする、上記請求項１に記載の間接活線工事用クリップ。
【請求項３】
上記クリップは一定幅を有し、相対向する把持部の各回動片の開口縁には一定幅の切り欠きを設け、
当該クリップ内にスリーブカバーを把持した際、当該クリップの上記切り欠き内から上記スリーブカバーの開口縁の係止具が露出する構成としたことを特徴とする、上記請求項１又は２に記載の間接活線工事用クリップ。
【請求項４】
間接活線工事における電線の接続部又は分岐部などの露出充電部を覆う架空配電線用の、略円筒形状で長手方向の上部一側を軸として開閉自在に形成されたスリーブカバーを取り付ける際に、
竿状で、先端の挟持部を手元のレバーで操作する間接活線工具の上記挟持部で上記請求項１又は２に記載のクリップの操作部の２つの脚片をバネの力に抗して挟持し、当該クリップの把持部の開口部を開けた状態で当該把持部間に上記スリーブカバーを把持し、上記クリップの開口部とスリーブカバーの開口部とを合わせ、
この状態の間接活線工具を持ち上げて、上記電線の接続部又は分岐部などの露出充電部の上方から上記クリップ毎スリーブカバーを被せ、
さらに、上記クリップをスリーブカバー上に被せたまま上記間接活線工具を外し、
上記電線の下方から、上記スリーブカバーの下部に位置する開口縁の係止具を上記間接活線工具の挟持部で留めて当該スリーブカバーを当該電線上に取り付け、当該間接活線工具の挟持部で上記クリップの操作部を挟持してスリーブカバーから取り去ることを特徴とする間接活線工事用クリップを用いた作業方法。
【請求項５】
間接活線工事における電線の接続部又は分岐部などの露出充電部を覆う架空配電線用の、略円筒形状で長手方向の上部一側を軸として開閉自在に形成されたスリーブカバーを取り付ける際に、
竿状で、先端の挟持部を手元のレバーで操作する間接活線工具の上記挟持部で上記請求項３に記載のクリップの操作部の２つの脚片をバネの力に抗して挟持し、当該クリップの把持部の開口部を開けた状態で当該把持部間に上記スリーブカバーを把持し、上記クリップの開口部とスリーブカバーの開口部とを合わせ、
この状態の間接活線工具を持ち上げて、上記電線の接続部又は分岐部などの露出充電部の上方から上記クリップ毎スリーブカバーを被せ、
さらに、上記クリップをスリーブカバー上に被せたまま上記間接活線工具を外し、
上記電線の下方の上記クリップの切り欠き内から露出した、上記スリーブカバーの係止具を上記間接活線工具の挟持部で留めて当該スリーブカバーを当該電線上に取り付け、当該間接活線工具の挟持部で上記クリップの操作部を挟持してスリーブカバーから取り去ることを特徴とする間接活線工事用クリップを用いた作業方法。
【請求項６】
間接活線工事における電線の接続部又は分岐部などを覆う絶縁シートを取り付ける際に、
上記電線の接続部又は分岐部などの露出充電部の上方から上記絶縁シートを被せ、
竿状で、先端に挟持部を有し、当該把持部を手元のレバーで操作する間接活線工具の上記挟持部内に、上記請求項１又は２に記載のクリップの操作部の２つの脚片をバネの力に抗して挟持し、当該クリップの把持部の開口部を開けた状態で、そのまま上記間接活線工具によって上記電線の上方から上記クリップを上記絶縁シートに掛け、上記間接活線工具の挟持部を上記クリップの操作部から外すことにより上記クリップで上記絶縁シートを掴みこんで上記絶縁シートを電線上に取り付けることを特徴とした間接活線工事用クリップを用いた作業方法。
【発明の詳細な説明】
【技術分野】
【０００１】
この発明は、高圧架空配電線路の間接活線工事において、電線の接続部や分岐部などを覆う架空配電線用のスリーブカバーを取り付ける際に用いたり、電線の接続部や分岐部などに一時的に被覆して防護する絶縁シートを固定する際に用いるクリップ及びこれらのクリップを用いた作業方法に関するものである。
【背景技術】
【０００２】
電柱などに架設された高圧の架空配電線路の接続部や分岐部における電線の露出充電部を絶縁防護するために、スリーブカバーを取り付けて保護している。
【０００３】
上記スリーブカバーＣは、図１３、１４及び１５に示すように、ポリエチレン製の略円筒を長手方向の下部一側で切断し、上部側縁を軸として開閉自在に形成したもので、下部の開口縁の略中央部外側の位置にはホック１１を設けて、このスリーブカバーＣの開口縁を着脱自在に設けている。また、このスリーブカバーＣのホック１１を閉じていない場合、スリーブカバーＣは開くように付勢されている。
【０００４】
上記スリーブカバーＣを使用して、間接活線工法で電線の充電部の防護作業を行う場合、間接活線工具の一つであるいわゆる絶縁ヤットコ（以下、単に、「絶縁ヤットコ」と言う。）を使用する。この絶縁ヤットコＤは、図１６及び図３に示すように、竿状で、先端に、固定部２１ａと可動部２１ｂから成る挟持部２１を有し、上記挟持部２１の可動部２１ｂを手元のレバー２１ｃで操作してこの挟持部２１を開閉するものである。
【０００５】
また、上記クリップＧは、図１７に示すように、相対向する２つの回動片から成る把持部２２と、当該把持部２２をヒンジ部２３を介して操作する、二つの脚片から成る操作部２４から形成される略ハサミ形状のものとなっている。そして、図示は省略するがバネが設けられ、このバネの力により把持部２２は常時閉じる方向に付勢されている。また、上記操作部２４の根元付近から外側に向かって夫々突出しているのは、このクリップＧを上記絶縁ヤットコＤの挟持部２１で把持した際、この絶縁ヤットコＤの挟持部２１の動きを留めるためのストッパー２５である。
【０００６】
実際の防護作業に当たっては、作業者の一人が上記絶縁ヤットコＤの先端の挟持部２１で上記スリーブカバーＣの開口縁の一方を挟持した状態で、図１８に示すように、そのまま絶縁ヤットコＤを持ち上げ、電線Ｅの斜め下方から露出部に近づいて、開いた状態のスリーブカバーＣを当該露出部分に被せて仮保持する。この時、上記作業者は、上記スリーブカバーＣが落ちないように、保持状態を続ける。
【０００７】
その後、別の作業者が、別の絶縁ヤットコＤ（図示省略）を使用して、スリーブカバーＣの相対向するホック１１を軽く挟持すると、上記先の作業者は絶縁ヤットコＤによる保持を解除する。さらに、上記後の作業者は上記ホック１１を閉じる。これで、スリーブカバーＣは電線Ｅに固定される。
【０００８】
また、上記とは別に、工事の都合上、電線接続部や分岐部を一時的に絶縁防護する場合、電線Ｅの接続部に上記絶縁シートＦを被せて、これに近接した電気工事作業を行うことがある。この絶縁シートＦは、二つ折りにした際、相対向する端面に面ファスナー２６を設けている。実際に使用するには、上記電線Ｅの接続部に、上記クリップＧを挟持した絶縁ヤットコＤを使って上記絶縁シートＦを被せ、この絶縁シートＦの面ファスナー２６を閉じる。その後、図１９に示すように、この絶縁シートＦの斜め下方から上記絶縁ヤットコＤで挟持したクリップＧで挟み、そのまま、絶縁ヤットコＤの挟持部２１で上記クリップＧを電線Ｅを中心に上側に回して当該クリップＧの操作部２４を電線Ｅの上方に位置させる。
【０００９】
この様なクリップの一例として、特許文献１の「ラバーを貼付したシートクリップ」がある。このシートクリップは、略ハサミ状のクリップの防護シートを挟持する挟持面にラバーを貼付したと言うものである。
【特許文献１】実開昭６３−１７５５９４号公報
【発明の開示】
【発明が解決しようとする課題】
【００１０】
しかしながら、架空配電線路において、高圧線は一般に三本の電線が水平に配置されているが、その下方には低圧線が配置されている他、電話線などの電線が輻湊していることもあり、上記高圧線に絶縁シートやスリーブカバーを取り付ける際に高所作業車のバケットが最も作業し易い位置まで入り込めないケースが多い。
【００１１】
この為、間接活線作業の際、作業者は斜め方向などから無理な姿勢で、絶縁ヤットコを操作することが多く、熟練した作業者でも絶縁ヤットコの遠隔操作で絶縁シートやスリーブカバーを確実に掴むことは容易ではない。
【００１２】
また、上記クリップＧを使用して、電線に上記スリーブカバーを取り付ける場合、一人の作業者が二本の絶縁ヤットコを操作することはできないので、最低でも二人の作業者が必要となるが、狭いバケット内に二人の作業者が搭乗して、上記作業を行うことは作業スペースが狭くて作業者が動ける範囲が限定して、作業性を損なうものとなっていたため、近年では一人での作業が求められるようになっている。
【００１３】
また、上記クリップＧを使って上記絶縁シートＦを留める場合、クリップＧの操作部２４が把持部２２の反対側にあるため、絶縁ヤットコＤを用いて、クリップＧを電線に近づける場合、把持部２２の開口部が上向きとなり、操作者が当該開口部を目視できず、操作しづらい。また、このクリップＧで把持した絶縁シートＦを電線に掛けた後、この絶縁シートＦの向きを変え無ければならないという手間があり、さらに、クリップの電線周りの回転操作などの微調整は効率が良い作業とは言い難いものであった。
【００１４】
この発明は、これらの点に鑑みて為されたもので、高圧電線の間接活線工事において、作業者に負担をかけずに任意の方向から近づくことが出来、作業者一人で簡単かつ確実にスリーブカバーの取り付け、及び絶縁シートへのクリップの着脱を可能とした、間接活線工事用クリップ及び当該クリップを用いた作業方法を提供して上記課題を解決するものである。
【課題を解決するための手段】
【００１５】
請求項１の発明は、相対向する２つの湾曲した回動片から成り、対象物を把持する把持部と、当該把持部をヒンジ部を介して操作する、二つの脚片から成る操作部から形成され、バネの力により常時把持部の回動片の自由端を閉める方向に付勢された略ハサミ形状のクリップであって、当該クリップの上記操作部を上に位置させ、上記把持部を下に位置させた状態で、上記ヒンジ部の軸から垂線を下ろし、当該軸を中心にして上記垂線の先端から、一方側に３０度〜９０度の範囲内に位置するように、上記操作部を折り曲げて形成した間接活線工事用クリップとした。
【００１６】
請求項２の発明は、上記操作部を成す２つの脚片のヒンジ部の軸を中心にした開口角を略３０度として設けた上記請求項１に記載の間接活線工事用クリップとした。
【００１７】
請求項３の発明は、上記クリップは一定幅を有し、相対向する把持部の各回動片の開口縁には一定幅の切り欠きを設け、当該クリップ内にスリーブカバーを把持した際、当該クリップの上記切り欠き内から上記スリーブカバーの開口縁の係止具が露出する構成とした上記請求項１又は２に記載の間接活線工事用クリップとした。
【００１８】
請求項４の発明は、間接活線工事における電線の接続部又は分岐部などの露出充電部を覆う架空配電線用の、略円筒形状で長手方向の上部一側を軸として開閉自在に形成されたスリーブカバーを取り付ける際に、竿状で、先端の挟持部を手元のレバーで操作する間接活線工具の上記挟持部で上記請求項１又は２に記載のクリップの操作部の２つの脚片をバネの力に抗して挟持し、当該クリップの把持部の開口部を開けた状態で当該把持部間に上記スリーブカバーを把持し、上記クリップの開口部とスリーブカバーの開口部とを合わせ、この状態の間接活線工具を持ち上げて、上記電線の接続部又は分岐部などの露出充電部の上方から上記クリップ毎スリーブカバーを被せ、さらに、上記クリップをスリーブカバー上に被せたまま上記間接活線工具を外し、上記電線の下方から、上記スリーブカバーの下部に位置する開口縁の係止具を上記間接活線工具の挟持部で留めて当該スリーブカバーを当該電線上に取り付け、当該間接活線工具の挟持部で上記クリップの操作部を挟持してスリーブカバーから取り去る間接活線工事用クリップを用いた作業方法とした。
【００１９】
請求項５の発明は、間接活線工事における電線の接続部又は分岐部などの露出充電部を覆う架空配電線用の、略円筒形状で長手方向の上部一側を軸として開閉自在に形成されたスリーブカバーを取り付ける際に、竿状で、先端の挟持部を手元のレバーで操作する間接活線工具の上記挟持部で上記請求項３に記載のクリップの操作部の２つの脚片をバネの力に抗して挟持し、当該クリップの把持部の開口部を開けた状態で当該把持部間に上記スリーブカバーを把持し、上記クリップの開口部とスリーブカバーの開口部とを合わせ、この状態の間接活線工具を持ち上げて、上記電線の接続部又は分岐部などの露出充電部の上方から上記クリップ毎スリーブカバーを被せ、さらに、上記クリップをスリーブカバー上に被せたまま上記間接活線工具を外し、上記電線の下方の上記クリップの切り欠き内から露出した、上記スリーブカバーの係止具を上記間接活線工具の挟持部で留めて当該スリーブカバーを当該電線上に取り付け、当該間接活線工具の挟持部で上記クリップの操作部を挟持してスリーブカバーから取り去る間接活線工事用クリップを用いた作業方法とした。
【００２０】
請求項６の発明は、間接活線工事における電線の接続部又は分岐部などを覆う絶縁シートを取り付ける際に、上記電線の接続部又は分岐部などの露出充電部の上方から上記絶縁シートを被せ、竿状で、先端に挟持部を有し、当該把持部を手元のレバーで操作する間接活線工具の上記挟持部内に、上記請求項１又は２に記載のクリップの操作部の２つの脚片をバネの力に抗して挟持し、当該クリップの把持部の開口部を開けた状態で、そのまま上記間接活線工具によって上記電線の上方から上記クリップを上記絶縁シートに掛け、上記間接活線工具の挟持部を上記クリップの操作部から外すことにより上記クリップで上記絶縁シートを掴みこんで上記絶縁シートを電線上に取り付ける間接活線工事用クリップを用いた作業方法とした。
【発明の効果】
【００２１】
請求項１の発明によれば、クリップの操作部をヒンジの軸を中心にして垂線の先端から、一方側に３０度〜９０度の範囲内に位置するように、上記操作部を折り曲げて形成したので、高圧電線の間接活線工事において、絶縁ヤットコの挟持部で上記クリップの操作部を挟持した場合、このクリップの把持部の開口が下方へ向いているので、操作者が目視しながら操作でき、操作がし易く、作業者が無理な姿勢で絶縁ヤットコを操作することなく、容易に絶縁ヤットコを電線に近づけることが出来、作業者一人で簡単かつ確実にスリーブカバーの取り付け、又は絶縁シートへのクリップ着脱が出来る。このため、作業者の安全が十分に確保されると共に、作業者が一人でも迅速かつ確実に効率良く作業が出来る。
【００２２】
請求項２の発明によれば、上記クリップの操作部を成す２つの脚片のヒンジ部を中心にした開口角を略３０度として設けたので、より確実に従来の絶縁ヤットコの挟持部でクリップの操作部を挟持出来、作業者が無理な姿勢で絶縁ヤットコを操作することなく、容易に絶縁ヤットコを電線に近づけることが出来、作業者一人で簡単かつ確実にスリーブカバーの取り付け、また、絶縁シートへのクリップ着脱が出来る。
【００２３】
請求項３の発明によれば、上記クリップ相対向する把持部の各回動片の開口縁には一定幅の切り欠きを設け、当該クリップ内にスリーブカバーを把持した際、当該クリップの上記切り欠き内から上記スリーブカバーの開口縁の係止具が露出しているので、外側から上記スリーブカバーの係止具を留め易いものである。
【００２４】
請求項４の発明によれば、高圧電線の間接活線工事において、絶縁ヤットコの挟持部で上記クリップの操作部を挟持した場合、このクリップの把持部の開口が下方へ向いているので、これを作業者が目視しながら操作でき、操作がし易く、作業者が無理な姿勢で絶縁ヤットコを操作することなく、容易に絶縁ヤットコを電線に近づけることが出来、作業者一人で簡単かつ確実にスリーブカバーの取り付けが出来る。このため、作業者の安全が十分に確保されると共に、作業者が一人でも迅速かつ確実に効率良く作業が出来る。
【００２５】
請求項５の発明によれば、上記請求項４の発明の効果に加えて、間接活線工具で上記請求項３に記載のクリップを使って、電線の露出充電部を覆うスリーブカバーを取り付ける際に、電線の下方のクリップの切り欠き内から露出したスリーブカバーの係止具を間接活線工具の挟持部で留めてスリーブカバーを電線上に取り付けられるので、作業者がクリップから露出した係止具を確実に目視しながら操作でき、操作がし易く、作業者一人で簡単にスリーブカバーの取り付けが出来る。
【００２６】
請求項６の発明によれば、高圧電線の間接活線工事において、絶縁ヤットコの挟持部で上記クリップの操作部を挟持した場合、このクリップの把持部の開口が下方へ向いているので、これを作業者は目視しながら操作でき、操作がし易く、作業者が無理な姿勢で絶縁ヤットコを操作することなく、容易に絶縁ヤットコを電線に近づけることが出来、作業者一人で簡単かつ確実に絶縁シートへのクリップ着脱が出来る。このため、作業者の安全が十分に確保されると共に、作業者が一人でも迅速かつ確実に効率良く作業が出来る。
【図面の簡単な説明】
【００２７】
【図１】この発明の実施の形態例１の間接活線工事用クリップの側面図である。
【図２】この発明の実施の形態例１の間接活線工事用クリップの正面断面図である。
【図３】この発明の実施の形態例１で使用する絶縁ヤットコの挟持部を開いた状態の一部説明図である。
【図４】上記図３の絶縁ヤットコの挟持部の奥部の距離を示す説明図である。
【図５】この発明の実施の形態例１の間接活線工事用クリップの外側の脚片の寸法を示す説明図である。
【図６】この発明の実施の形態例１の間接活線工事用クリップの寸法及び角度を示す説明図である。
【図７】この発明の実施の形態例１の間接活線工事用クリップの把持部の長さを示す説明図である。
【図８】この発明の実施の形態例１の間接活線工事用クリップの把持部の内側に位置する脚片と上記挟持溝とが干渉せずに作用出来る角度を示す説明図である。
【図９】この発明の実施の形態例１の間接活線工事用クリップを用いて電線の接続部にスリーブカバーを取り付けている状態を示す斜視図である。
【図１０】この発明の実施の形態例１の間接活線工事用クリップを用いて電線の接続部にスリーブカバーを取り付け、当該スリーブカバーのホックを閉じている状態を示す斜視図である。
【図１１】この発明の実施の形態例１の間接活線工事用クリップを用いて電線の接続部に絶縁シートを取り付けている状態を示す斜視図である。
【図１２】この発明の実施の形態例２の間接活線工事用クリップの側面図である。
【図１３】既存のスリーブカバーの正面図である。
【図１４】既存のスリーブカバーの平面図である。
【図１５】既存のスリーブカバーの側面図である。
【図１６】既存の絶縁ヤットコの正面図である。
【図１７】既存の間接活線工事用クリップの正面図である。
【図１８】従来の方法で、電線にスリーブカバーを取り付けている状態を示す斜視図である。
【図１９】既存の間接活線工事用クリップを用いて絶縁シートを取り付けている状態を示す斜視図である。
【発明を実施するための形態】
【００２８】
（実施の形態例１）
以下、この発明の実施の形態例１の間接活線工事用クリップ（以下、単に、「クリップ」と言う。）を図に基づいて説明する。上記クリップＡは、図１及び２に示す様に、相対向する２つの湾曲した回動片１ａ、１ａから成り、これらの回動片１ａ、１ａ間に対象物を把持出来る把持溝１ｂを有する把持部１、この把持部１をヒンジ部２を介して操作する、二つの脚片から成る操作部３から成る略ハサミ形状であって、さらに、上記操作部３を成す２つの脚片３ａ、３ｂを上記ヒンジ部２の軸２ａを中心にして右側（図１において）に直角に折り曲げ、さらに、これらの脚片のうち右側（図１では下方）の脚片３ｂを左側（図１では上方）の脚片３ａより、さらに一定角度折り曲げて設けたものから成る。そして、上記脚片３ａ、３ｂを相互に近づけると２つの回動片１ａ、１ａの下部が開口する構成となっている。
【００２９】
また、このクリップＡは、ヒンジ部２の軸２ａに設けたバネ２ｂによって、通常は把持部１の回動片１ａの下端開口部が閉じるように付勢されている。さらに、このクリップＡは、一定幅を有するものであり、相対向する把持部１の各回動片１ａの開口縁の中央部には、図２に示すように、一定幅の四角形状の切り欠き４を設けている。
【００３０】
通常、高圧架空配電線路における間接活線工事作業は、架空の電線の作業個所の真横から真下の範囲の位置でクリップを挟持した絶縁ヤットコの操作によって行われる。このことを勘案すると、このクリップＡの操作部３の脚片の折り曲げ角度のうち、外側となる脚片３ａの最適な折り曲げ角度は、上記ヒンジ部２の軸２ａから垂線Ｈを下ろし、上記軸２ａを中心にして、上記垂線Ｈの先端から右側に直角以下の角度であることが分かる。
【００３１】
続いて、折り曲げた際、内側となる脚片３ｂの適切な折り曲げ角度、すなわち、このクリップＡの把持部１の上記把持溝１ｂに把持された被把持物と上記操作部３を挟持する絶縁ヤットコＤの挟持部２１とが干渉せずに円滑に作用出来る角度や寸法について述べる。
【００３２】
この作業において使用する絶縁ヤットコＤであるが、図１６に示す既存のものであって、国内で製造されるものは、その形状及び大きさは大体決まっており、特に、先端の挟持部２１の形状及び大きさはほぼ決まったものとなっている。図３に示すように、挟持部２１の二つの部位の開く角度は、およそ４５度で、これらの二つの部位の最も奥部の距離はおよそ５５ｍｍとなっている。
【００３３】
また、クリップＡの操作部３を成す二つの脚片３ａ、３ｂに、絶縁ヤットコＤの挟持部２１を近づけて、はじくことなく、確実に上記操作部３を挟持するためには、上記絶縁ヤットコＤの挟持部２１の二つの部位のうち最も奥部を結ぶ線（上記図３における５５ｍｍの線）よりも奥部に、上記クリップＡの操作部３を入れる必要があり、その寸法は、図４に示す、三角関数の計算により、ここでは、およそ５０．８ｍｍと言うことになる。
【００３４】
また、ここで使用されるスリーブカバーＣであるが、電力会社によって、その仕様は各種のものがあるが、その幅は大体４５ｍｍ程度となっている（図１５において「L」で示す）。そこで、当該スリーブカバーＣを内部に入れて把持するクリップＡの相対向する開口縁の開口時の間隔をここでは４５ｍｍとし、スリーブカバーＣの高さからスリーブカバーＣを把持出来るクリップＡの把持溝１ｂの高さを７５ｍｍとする。
【００３５】
これらのことを基に、この実施の形態例１のクリップＡの具体的な寸法及び角度を説明する。ここでは、図５及び図６に示すように、クリップＡの操作部３を成す内側の脚片３ｂを外側の脚片３ａより、仮に、さらに３０度折り曲げて設けることとする。これは、上記絶縁ヤットコＤの挟持部２１の角度や数値及び実際の操作性の上から得られた適切と思われる角度である。また、ここでは、上記ヒンジ部２の直径を２０ｍｍとする。すると、このクリップＡの操作部３において、ヒンジ部２の軸２ａから外側の脚片３ａの先端までの長さはおよそ１０１．６ｍｍとなる。
【００３６】
さらに、図６に示すように、把持部1内の把持溝１ｂの寸法を高さ７５ｍｍ、幅４５ｍｍ、上記ヒンジ部２から上記把持溝１ｂまでの長さを３０ｍｍとし、このクリップＡの把持部１の回動片１ａ、１ａを最大に開いた場合の開口縁の間隔を４５ｍｍとして、やはり三角関数で計算すると、図７に示すように、このクリップＡの把持部1のヒンジ部２の軸２ａからの長さは８４ｍｍ以上となる。
【００３７】
これらのことから、上記ヒンジ部２の軸２ａから把持溝１ｂの上端までの長さを４０ｍｍ、把持部１の開口の長さを４５ｍｍとすると、図８に示すように、右側の直角三角形の矢印で示した角度は２９．４度≒３０度となる。これらのことから、上記操作部３の内側に位置する脚片３ｂと上記把持溝１ｂに把持された被把持物とが干渉せずに作用出来る角度、つまり上記内側に位置する脚片３ｂの角度は、上記ヒンジ部２の軸２ａを中心にして、上記垂線Ｈの先端から３０度〜６０度の範囲内と言うことになる。
【００３８】
以上のことから、二つの脚片３ａ、３ｂの間の角度を３０度とし、クリップＡの把持部１の把持溝１ｂに把持された被把持物と上記操作部３を挟持する絶縁ヤットコＤの挟持部２１とが円滑に作用出来る角度としては、上記ヒンジ部２の軸２ａを中心にして、上記垂線Ｈの先端から一方に３０度〜９０度の範囲内で折り曲げて形成するのが良いことが分かる。この実施の形態例１では、外側に位置する脚片３ａの角度は、上記ヒンジ部２の軸２ａを中心にして上記垂線Ｈの先端から９０度とし、内側に位置する脚片３ｂの角度は同６０度としている。
【００３９】
次に、このクリップＡを使用して、スリーブカバーＣを電線Ｅの接続部における電線の露出部分である電線接続スリーブに絶縁防護するために取り付ける間接活線作業を説明する。最初に、上記クリップＡの内側に上記スリーブカバーＣを入れて把持する。この時、スリーブカバーＣの開口部とクリップＡの把持部１の開口部の位置を一致させ、さらに、このスリーブカバーＣの開口縁であって、中央部下方に突出した相対向するホック１１をこのクリップＡの上記切り欠き４内に入れると、このクリップＡ内にスリーブカバーＣをしっかりと把持することが出来る。
【００４０】
さらに、上記スリーブカバーＣを把持したクリップＡの操作部３の２つの脚片３ａ、３ｂを上記絶縁ヤットコＤの挟持部２１で挟持し、そのまま当該絶縁ヤットコＤを電線Ｅの下方から持ち上げて、図９に示すように、当該電線Ｅの接続部の上方から上記スリーブカバーＣを上記クリップＡごと被せる。その後、上記クリップＡを電線Ｅ上に被せたまま上記絶縁ヤットコＤの挟持部２１を外す。その際、クリップＡはバネ２ｂの力により把持部１を閉じる力が働き、スリーブカバーＣを電線Ｅ上に保持出来る。そして、図１０に示すように、上記電線Ｅの下方のクリップＡの切り欠き４内から露出した、上記スリーブカバーＣの下部に位置する開口縁のホック１１を上記絶縁ヤットコＤの挟持部２１で挟んで留めて当該スリーブカバーＣを当該電線Ｅ上に取り付ける。最後に、上記絶縁ヤットコＤの挟持部２１で上記クリップＡの操作部３の２つの脚片３ａ、３ｂをつまみ、バネ２ｂの力に抗してクリップＡの把持部１の開口部を開け、上記クリップＡをスリーブカバーＣから取り去れば作業は終了である。
【００４１】
また、このクリップＡを使用して、上記絶縁シートＦを電線Ｅの接続部における電線Ｅの露出部分に被せ、その後、このクリップＡを取り付ける間接活線作業を説明する。上記絶縁ヤットコＤを使用して、電線Ｅの接続部の上方から上記絶縁シートＦを被せる。そして、絶縁シートＦの内側の面ファスナー２６を止める。その後、上記絶縁ヤットコＤの先端の挟持部２１内に上記クリップＡの操作部３の２つの脚片３ａ、３ｂを嵌め入れてクリップＡを把持し、把持部１の下端が開口した状態で絶縁ヤットコＤを電線Ｅの下方から持ち上げて、図１１に示すように、当該電線Ｅの絶縁シートＦの上方から、上記クリップＡを上記絶縁シートＦに引っ掛け、絶縁ヤットコＤの挟持部２１を緩める。これにより、クリップＡは自体のバネ２ｂの力により把持部１の回動片１ａが閉まり、クリップＡは上記絶縁シートＦを掴みこんで上記絶縁シートＦを電線Ｅに固定する。
【００４２】
（実施の形態例２）
次に、この発明の実施の形態例２のクリップＢを図に基づいて説明する。このクリップＢは、図１２に示す様に、基本的な構成としては、上記実施の形態例１のクリップＡと同じである。それ故、クリップＡと相違する構成のみを説明する。
【００４３】
このクリップＢと上記クリップＡとは、操作部１２を形成する二つの脚片１２ａ、１２ｂを成す角度が相違する。このクリップＢの操作部１２を形成する二つの脚片１２ａ、１２ｂのうち、外側の脚片１２ａの折り曲げ角度は、ヒンジ部２の軸２ａを中心にして、垂線Ｈの先端から６０度であり、内側の脚片１２ｂの折り曲げ角度は同３０度である。また、これら二つの脚片１２ａ、１２ｂの開口角度は３０度である。
【００４４】
また、このクリップＢの使用の仕方は、上記クリップＡと同じである。ただ、このクリップＢを用いた場合、クリップＡと比べて、操作部の全体の折り曲げ角度が上記クリップＡより３０度小さくなって鋭角となっているので、電線付近の作業空間が狭い場合などに、より有効となる。
【００４５】
上記実施の形態例では、クリップＡ、Ｂの操作部の二つの脚片の具体的な角度をあげているが、特許請求の範囲に記載されている範囲であれば、これらの記載に限定するものではない。
【００４６】
また、上記切り欠き４は四角形状に限るものではなく、スリーブカバーＣの係止具であるホック１１を露出できる形状なら他の形状でも良い。
【符号の説明】
【００４７】
Ａ    クリップ                      Ｂ    クリップ
Ｃ    スリーブカバー                Ｄ    絶縁ヤットコ
Ｅ    電線                          Ｆ    絶縁シート
Ｇ    クリップ                      Ｈ    垂線
１    把持部             １ａ   回動片         １ｂ  把持溝
２    ヒンジ部           ２ａ   軸             ２ｂ  バネ
３    操作部             ３ａ   脚片           ３ｂ  脚片
４    切り欠き         １１     ホック         １２  操作部
１２ａ  脚片             １２ｂ  脚片
２１    挟持部           ２１ａ  固定部       ２１ｂ  可動部
２１ｃ  レバー           ２２    把持部       ２３    ヒンジ部
２４    操作部           ２５    ストッパー   ２６    面ファスナー
【図１】
2015186430.tif 000003
【図２】
2015186430.tif 000004
【図３】
2015186430.tif 000005
【図４】
2015186430.tif 000006
【図５】
2015186430.tif 000007
【図６】
2015186430.tif 000008
【図７】
2015186430.tif 000009
【図８】
2015186430.tif 000010
【図９】
2015186430.tif 000011
【図１０】
2015186430.tif 000012
【図１１】
2015186430.tif 000013
【図１２】
2015186430.tif 000014
【図１３】
2015186430.tif 000015
【図１４】
2015186430.tif 000016
【図１５】
2015186430.tif 000017
【図１６】
2015186430.tif 000018
【図１７】
2015186430.tif 000019
【図１８】
2015186430.tif 000020
【図１９】
2015186430.tif 000021